(57)【要約】【課題】赤色レーザ光の累積照射に伴う赤色レーザ光の透過率の低下度合は小さいが青紫色レーザ光の累積照射に伴う青紫色レーザ光の透過率の低下度合が大きいために、赤色レーザ光対応の対物レンズ材としては広く用いられてきたが青紫色レーザ光対応の対物レンズ材としては利用に供することができなかった合成樹脂材を、青紫色レーザ光対応の対物レンズ材としても使用することができるようにする。【解決手段】合成樹脂からなり、青紫色レーザ光の累積照射に伴う青紫色レーザ光の透過率の低下度合が、赤色レーザ光の累積照射に伴う赤色レーザ光の透過率の低下度合に比べて大きいレンズ部材に対して、青紫色レーザ光より短波長の電磁波を照射することにより、前記レンズ部材の、青紫色レーザ光の累積照射に伴う青紫レーザ光の透過率の変化度合を調整したことを特徴とする合成樹脂レンズである。【選択図】図１
2010040164.tif 000002
【特許請求の範囲】
【請求項１】
合成樹脂からなり、青紫色レーザ光の累積照射に伴う青紫色レーザ光の透過率の低下度合が、赤色レーザ光の累積照射に伴う赤色レーザ光の透過率の低下度合に比べて大きいレンズ部材に対して、青紫色レーザ光より短波長の電磁波を照射することにより、
前記レンズ部材の、青紫色レーザ光の累積照射に伴う青紫レーザ光の透過率の変化度合を調整したことを特徴とする合成樹脂レンズ。
【請求項２】
合成樹脂からなり、青紫色レーザ光の累積照射に伴う青紫色レーザ光の透過率の低下度合が、赤色レーザ光の累積照射に伴う赤色レーザ光の透過率の低下度合に比べて大きいレンズ部材に対して、青紫色レーザ光より短波長の電磁波を照射することにより、
前記レンズ部材の、青紫色レーザ光の累積照射に伴う青紫レーザ光の透過率の低下度合を、赤色レーザ光の累積照射に伴う赤色レーザ光の透過率の低下度合に近づけたことを特徴とする合成樹脂レンズ。
【請求項３】
２５℃環境下でのｄ線に対する屈折率が１．５２以上の合成樹脂からなるレンズ部材に対して、青紫色レーザ光より短波長の電磁波を照射することにより、
前記レンズ部材の、青紫色レーザ光の累積照射に伴う青紫レーザ光の透過率の変化度合を調整したことを特徴とする合成樹脂レンズ。
【請求項４】
２５℃環境下でのｄ線に対する屈折率が１．５２以上の合成樹脂からなるレンズ部材に対して、青紫色レーザ光より短波長の電磁波を照射することにより、
前記レンズ部材の、青紫色レーザ光の累積照射に伴う青紫レーザ光の透過率の低下度合を、前記電磁波の照射前に比べて小さくしたことを特徴とする合成樹脂レンズ。
【請求項５】
前記レンズ部材は、紫外線硬化型接着剤にてレンズホルダに接着され、
前記紫外線硬化型接着剤に紫外線を照射する際に、該紫外線を前記レンズ部材にも照射したことを特徴とする請求項１、２、３又は４記載の合成樹脂レンズ。
【請求項６】
青紫色レーザ光の累積照射に伴う青紫色レーザ光の透過率の低下度合が、赤色レーザ光の累積照射に伴う赤色レーザ光の透過率の低下度合に比べて大きい合成樹脂材に対して、青紫色レーザ光より短波長の電磁波を照射することにより、
前記合成樹脂材の、青紫色レーザ光の累積照射に伴う青紫色レーザ光の透過率の変化度合を調整したことを特徴とする改質合成樹脂材。
【請求項７】
青紫色レーザ光の累積照射に伴う青紫色レーザ光の透過率の低下度合が、赤色レーザ光の累積照射に伴う赤色レーザ光の透過率の低下度合に比べて大きい合成樹脂材に対して、青紫色レーザ光より短波長の電磁波を照射することにより、
前記合成樹脂材の、青紫色レーザ光の累積照射に伴う青紫色レーザ光の透過率の変化度合を、赤色レーザ光の累積照射に伴う赤色レーザ光の透過率の低下度合に近づけたことを特徴とする改質合成樹脂材。
【請求項８】
２５℃環境下でのｄ線に対する屈折率が１．５２以上の合成樹脂材に対して、青紫色レーザ光より短波長の電磁波を照射することにより、
前記合成樹脂材の、青紫色レーザ光の累積照射に伴う青紫色レーザ光の透過率の変化度合を調整したことを特徴とする改質合成樹脂材。
【請求項９】
２５℃環境下でのｄ線に対する屈折率が１．５２以上の合成樹脂材に対して、青紫色レーザ光より短波長の電磁波を照射することにより、
前記合成樹脂材の、青紫色レーザ光の累積照射に伴う青紫色レーザ光の透過率の変化度合を、前記電磁波の照射前に比べて小さくしたことを特徴とする改質合成樹脂材。
【請求項１０】
請求項１、２、３、４又は５記載の合成樹脂レンズを、青紫色レーザ光を集光するための対物レンズとして用いたことを特徴とする光ピックアップ装置。
【発明の詳細な説明】
【技術分野】
【０００１】
本発明は、光ディスクに記録されている信号の読み出し動作や光ディスクに信号の記録動作を行う光ピックアップ装置に使用される対物レンズ等の合成樹脂レンズおよびその素材に関する。また、前記合成樹脂レンズを用いた光ピックアップ装置に関する。
【背景技術】
【０００２】
光ピックアップ装置から照射されるレーザ光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ  ＤＶＤ（High Density Digital Versatile Disk）規格の光ディスクを使用するものが開発されている。
【０００４】
ＣＤ規格の光ディスクに記録されている信号の読み出し動作を行うレーザ光としては、波長が７８０ｎｍである赤外光が使用され、ＤＶＤ規格の光ディスクに記録されている信号の読み出し動作を行うレーザ光としては、波長が６５０ｎｍの赤色光が使用されている。
【０００５】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格やＨＤ  ＤＶＤ規格の光ディスクに記録されている信号の読み出し動作を行うレーザ光としては、波長が短いレーザ光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
Ｂｌｕ−ｒａｙ規格の光ディスクに設けられている信号記録層に記録されている信号の再生動作や該信号記録層に信号を記録するためにレーザ光を集光させることによって生成されるレーザスポットの径を小さくする必要がある。所望のレーザスポット形状を得るために使用される対物レンズは、開口数(ＮＡ)が高くなるだけでなく焦点距離が短くなるので、対物レンズの曲率半径が小さくなる。
【０００９】
光ピックアップ装置には、前述した各規格に対応した波長のレーザ光を放射するレーザダイオードや該レーザダイオードから放射されるレーザ光を各光ディスクに設けられている信号記録層に集光させる対物レンズが組み込まれている。斯かる対物レンズの材料としては、一般的には硝子が使用されるが、安価にて製造するために最近では合成樹脂が使用されることが多い。（特許文献１参照。）
【先行技術文献】
【特許文献】
【００１０】
【特許文献１】特開２００５−３３８６８４号公報
【発明の概要】
【発明が解決しようとする課題】
【００１１】
対物レンズを合成樹脂にて製造することによって光ピックアップ装置の価格を下げることは出来るものの合成樹脂には使用するレーザ光の波長によって特性が変化するという特性がある。ＤＶＤ規格に対応したレーザ光、即ち波長が６５０ｎｍの赤色であるレーザ光を集光させるための対物レンズに使用される合成樹脂材料、例えば三井化学社製のアペル５０１４ＤＰと呼ばれる合成樹脂材料を使用してＢｌｕ−ｒａｙ規格やＨＤ  ＤＶＤ規格に対応したレーザ光、即ち波長が４０５ｎｍの青紫色のレーザ光を集光させるための対物レンズを製造した場合には、青紫色のレーザ光によって対物レンズの透過率が低下するという特性がある。
【００１２】
図４は前述したアペル５０１４ＤＰと呼ばれる合成樹脂材料にて製造された対物レンズをそのまま使用し、波長が４０５ｎｍの青紫色のレーザ光を照射させた場合における使用時間に対する透過率の変化を示す特性図であり、対物レンズの透過率の照射時間に伴う経時的変化が光ピックアップ装置の光学性能を満足させる対物レンズとして使用可能な仕様として波長が４０５ｎｍの青紫色のレーザ光を１０００時間照射した場合に設定される所定範囲の２％を超え、対物レンズとして使用可能な仕様に基づく所定範囲から逸脱する透過率の低下が実験的に確認出来た。
【００１３】
このように対物レンズの透過率が低下すると光ディスクの盤面上に集光されるレーザ光の強度が小さくなり、光ディスクに記録されている信号の再生動作や信号の記録動作を正常に行うことが出来ないことになる。斯かる問題を解決するために対物レンズの材料として青紫色のレーザ光による影響を受けることがない合成樹脂材料、例えば日本ゼオン社製のゼオネックス３４０Ｒと呼ばれる合成樹脂材料を使用しているが、斯かる合成樹脂材料はＤＶＤ用の対物レンズに使用される材料と比較して高価であり、光ピックアップ装置の価格を下げることが出来ないという問題がある。
【００１４】
本発明は、斯かる問題を解決するための合成樹脂レンズ、改質合成樹脂材、及び光ピックアップ装置を提供するものである。
【課題を解決するための手段】
【００１５】
本発明による合成樹脂レンズは、合成樹脂からなるレンズ部材に対して、青紫色レーザ光より短波長の電磁波（例えば、紫色光、紫外線、エックス線、ガンマ線）を照射することにより、前記レンズ部材の、青紫色レーザ光の累積照射に伴う青紫色レーザ光の透過率の変化度合を調整（例えば、前記電磁波の照射前に比べて前記変化度合を小さく）したことを特徴とする。
【００１６】
また、本発明による改質合成樹脂材は、合成樹脂材に対して、青紫色レーザ光より短波長の電磁波（例えば、紫色光、紫外線、エックス線、ガンマ線）を照射することにより、前記合成樹脂材の、青紫色レーザ光の累積照射に伴う青紫色レーザ光の透過率の変化度合を調整（例えば、前記電磁波の照射前に比べて前記変化度合を小さく）したことを特徴とする。
【発明の効果】
【００１７】
本発明によれば、赤色レーザ光の累積照射に伴う赤色レーザ光の透過率の低下度合は小さいが青紫色レーザ光の累積照射に伴う青紫色レーザ光の透過率の低下度合が大きいために、赤色レーザ光対応の対物レンズ材としては広く用いられてきたが青紫色レーザ光対応の対物レンズ材としては実用に供することができなかった合成樹脂材（例えば、前記アペル５０１４ＤＰのような比較的安価な合成樹脂材）を、青紫色レーザ光対応の対物レンズ材（例えば、前記ゼオネックス３４０Ｒのような比較的高価な合成樹脂材の代替材）としても使用することできるようになる。
【００１８】
なお、本発明の実施に伴い、前記電磁波の照射直後における青紫色レーザ光の透過率が、前記電磁波の照射前に比べて低下することもありうるが、そのこと自体は、青紫色レーザ光対応の対物レンズとしての実用上、あまり大きな問題とならず、青紫色レーザ光の累積照射に伴う青紫色レーザ光の透過率の変化度合が小さくなることの方が、青紫色レーザ光対応の対物レンズとしての実用上、大きな利点となる。
【図面の簡単な説明】
【００１９】
【図１】本発明に係る合成樹脂レンズを対物レンズとして使用した光ピックアップ装置の概略構成図である。
【図２】本発明に係る合成樹脂レンズの透過率と時間との関係を示す特性図である。
【図３】本発明に係る合成樹脂レンズの製造方法を説明するための特性図である。
【図４】従来の合成樹脂レンズの透過率と時間との関係を示す特性図である。
【発明を実施するための形態】
【００２０】
図１は、本発明に係る合成樹脂レンズを対物レンズとして使用した光ピックアップ装置の概略構成図、図２は、本発明に係る合成樹脂レンズの透過特性を示す特性図、図３は、本発明に係る合成樹脂レンズの製造方法を説明するための特性図である。
【００２１】
図１において、１は例えば４０５ｎｍの青紫色光であるレーザ光を放射するレーザダイオード、２は前記レーザダイオード１から放射されるレーザ光が入射される回折格子であり、レーザ光を０次光であるメインビームと＋１次回折光及び−１次回折光であるサブビームに分離する回折格子部２ａと入射されるレーザ光をＳ方向の直線偏光光に変換する１／２波長板２ｂとより構成されている。
【００２２】
３は前記回折格子２を透過したレーザ光が入射される偏光ビームスプリッタであり、Ｓ偏光されたレーザ光を反射し、Ｐ方向に偏光されたレーザ光を透過させる制御膜３ａが設けられている。４は前記レーザダイオード１から放射されたレーザ光の中の前記偏光ビームスプリッタ３を透過したレーザ光が照射される位置に設けられているモニター用光検出器であり、その検出出力は前記レーザダイオード１から放射されるレーザ光の出力を制御するために使用される。
【００２３】
５は前記偏光ビームスプリッタ３の制御膜３ａにて反射されたレーザ光が入射される位置に設けられている１／４波長板であり、入射されるレーザ光を直線偏光光から円偏光光に変換する作用を成すものである。６は前記１／４波長板５を透過したレーザ光が入射されるコリメートレンズであり、入射されたレーザ光を平行光にする作用を成すとともにＢｌｕ−ｒａｙ規格の光ディスクＤの保護層による球面収差を補正するために設けられている。
【００２４】
７は前記コリメートレンズ６にて平行光に変換されたレーザ光が入射されるとともに該レーザ光を反射させる反射ミラーであり、後述するように光ディスクＤの信号記録層Ｌから反射された戻り光が入射されるとともに該戻り光を前記偏光ビームスプリッタ３の方向へ反射させる作用を成すように設けられている。
【００２５】
８は前記偏光ビームスプリッタ３に設けられている制御膜３ａを透過した戻り光が入射されるセンサーレンズであり、シリンドリカル面、平面、凹曲面または凸曲面等が入射面側及び出射面側に形成されている。斯かるセンサーレンズ８は戻り光に非点収差を発生させることによってフォーカス制御動作に使用されるフォーカスエラー信号を生成させるために設けられている。９は前記センサーレンズ８を通過した戻り光が集光されて照射される位置に設けられている光検出器であり、フォトダイオードが配列された４分割センサー等にて構成されている。斯かる光検出器９の構成及び非点収差法によるフォーカスエラー信号の生成動作等は周知であり、その説明は省略する。
【００２６】
１０は前記反射ミラー７にて反射されたレーザ光が入射されるとともに入射されたレーザ光を前記光ディスクＤに設けられている信号記録層Ｌに集光させる対物レンズであり、合成樹脂材料を成形することによって製造されるとともに曲率半径が球面と異なり小さくなるように設計されている。
【００２７】
光ディスクＤに記録されている信号の再生動作を行う場合には、レーザダイオード１に駆動電流が供給され、該レーザダイオード１から波長が４０５ｎｍのレーザ光が放射される。前記レーザダイオード１から放射されたレーザ光は、回折格子２に入射され、該回折格子２を構成する回折格子部２ａによって０次光、＋１次回折光及び−１次回折光に分離されるとともに１／２波長板２ｂによってＳ方向の直線偏光光に変換される。前記回折格子２を透過したレーザ光は、偏光ビームスプリッタ３に入射され、該偏光ビームスプリッタ３に設けられている制御膜３ａにて反射されるとともに一部のレーザ光は透過してモニター用光検出器４に照射される。
【００２８】
前記制御膜３ａにて反射されたレーザ光は、１／４波長板５を通してコリメートレンズ６に入射され該コリメートレンズ６の働きによって平行光に変換される。前記コリメートレンズ６によって平行光に変換されたレーザ光は、反射ミラー７にて反射された後対物レンズ１０に入射される。前記対物レンズ１０に入射されたレーザ光は該対物レンズ１０の集光動作によって光ディスクＤの信号記録層Ｌにスポットとして照射されることになる。このようにして、レーザダイオード１から放射されるレーザ光は、光ディスクＤの信号記録層Ｌに所望のスポットとして照射されるが、この場合における対物レンズ１０の開口数は０．８５になるように設定されている。
【００２９】
また、前述した対物レンズ１０によるレーザ光の集光動作が行われるとき、信号記録層Ｌと光ディスクＤの信号入射面との間にある保護層の厚みの相違によって球面収差が発生するが、本実施例に示したコリメートレンズ６を光軸方向、即ち矢印Ａ又はＢ方向へ変位させることによってこの球面収差が最も少なくなるように調整することが出来る。斯かる調整動作は一般的に行われており、その説明は省略する。
【００３０】
前述した動作によってレーザダイオード１から放射されるレーザ光を対物レンズ１０の集光動作によって光ディスクＤに設けられている信号記録層Ｌに照射させる動作が行われるが、斯かる照射動作が行われるとき、該信号記録層Ｌから反射される戻り光が対物レンズ１０に対して光ディスクＤ側から入射されることになる。前記対物レンズ１０に入射された戻り光は、反射ミラー７、コリメートレンズ６及び１／４波長板５を通して偏光ビームスプリッタ３に入射される。前記偏光ビームスプリッタ３に入射される戻り光は、Ｐ方向の直線偏光光に変換されているので、該偏光ビームスプリッタ３に設けられている制御膜３ａを透過することになる。
【００３１】
前記制御膜３ａを透過したレーザ光の戻り光は、センサーレンズ８に入射され、該センサーレンズ８の働きによって非点収差が発生せしめられる。前記センサーレンズ８によって非点収差が発生せしめられた戻り光は、該センサーレンズ８の集光動作によって光検出器９に設けられている４分割センサー等のセンサー部に照射される。このようにして戻り光が光検出器９に照射される結果、該光検出器９に組み込まれているセンサー部に照射されるメインビームのスポット形状の変化を利用して周知のようにフォーカスエラー信号の生成動作が行われる。斯かるフォーカスエラー信号を利用して対物レンズ１０を光ディスクＤの信号面方向へ変位させることによってフォーカス制御動作を行うことが出来る。
【００３２】
また、本実施例では説明しないが、回折格子２によって生成されるサブビームである＋１次回折光と−１次回折光を利用した周知のトラッキング制御動作を行うことが出来るように構成されており、斯かる制御動作を行うことによって光ディスクＤに記録されている信号の読み取り動作が行われることになる。
【００３３】
前述したように光ディスクＤに記録されている信号の読み取り動作は行われるが、斯かる読み取り動作が行われているときモニター用光検出器４にレーザ光の一部が照射されているので、該モニター用光検出器４から得られるモニター信号を利用してレーザダイオード１に供給される駆動電流値を制御することが出来る。
【００３４】
レーザダイオード１に供給される駆動電流値を制御することによってレーザ光の出力を制御することが出来るので、光ディスクＤに記録されている信号の読み取り動作だけでなく該光ディスクＤに信号を記録する場合に要求されるレーザ出力の調整動作も行うことが出来る。
【００３５】
以上に説明したように図１に示した構成の光ピックアップ装置における信号の再生動作等は行われるが、次に本発明の要旨に係る対物レンズ１０の製造方法について説明する。
【００３６】
本発明に係る対物レンズ１０は、合成樹脂材料、例えば前述したアペル５０１４ＤＰのような環状オレフィン系ポリマー樹脂にて成形することによって製造されるが、斯かる材料は第１波長のレーザ光、例えばＤＶＤ規格の光ディスクに対応した波長が６５０ｎｍである赤色のレーザ光の集光動作を行うための対物レンズに使用されるものと同じ材料である。
【００３７】
斯かる合成樹脂材料にて成形された対物レンズの全体に対して紫外線照射器、例えば水銀キセノンランプから放射される波長が３６０ｎｍの紫外線を照射させる動作が行われる。斯かる対物レンズに対する紫外線の照射時間は、例えば５０分程度であり、斯かる照射動作を行うと青紫色のレーザ光、即ち波長が４０５ｎｍのレーザ光に対する対物レンズの初期透過率が９５．７％程度に低下することが確かめられた。
【００３８】
図２は、前述した方法、即ち水銀キセノンランプから放射される波長が３６０ｎｍの紫外線の照射によって透過率が９５．７％程度に低下設定された対物レンズに青紫色のレーザ光、即ち波長が４０５ｎｍのレーザ光を照射させた場合における照射時間と透過率との関係を示すものである。斯かる特性図より明らかなように約４０時間経過した時点で透過率が９５．３％と安定し、波長が４０５ｎｍの青紫色のレーザ光を１０００時間照射した場合における透過率の変化の範囲を略１％以内に抑えることが出来ることが実験的に確かめられた。すなわち、紫外線照射器からの紫外線の照射後において、前記対物レンズにおける青紫色のレーザ光に対する透過率の経時的変化の割合を大幅に縮小することができる。
【００３９】
以上のように環状オレフィン系ポリマー樹脂にて形成される対物レンズに紫外線照射器から紫外線を照射させることにより、対物レンズの透過率の経時的変化は光学性能を満足させる仕様として規定される範囲である、波長が４０５ｎｍの青紫色のレーザ光を１０００時間照射した場合に２％以内に設定できるので、ＤＶＤ規格の光ディスクに対応した波長が６５０ｎｍである赤色のレーザ光の集光動作を行うための対物レンズに使用されるものと同じ材料にて成形された対物レンズに紫外線を照射させることによってＢｌｕ−ｒａｙ規格の光ディスクＤに記録されている信号の再生動作や記録動作を行うために使用される青紫色のレーザ光、即ち波長が４０５ｎｍのレーザ光を光ディスクＤの信号記録層Ｌに集光させる対物レンズとして支障なく使用することが出来ることになる。
【００４０】
図３に示す特性図は、水銀キセノンランプから放射される紫外線の照射時間が異なる対物レンズに、波長が４０５ｎｍの青紫色レーザ光を照射させた場合における照射時間と透過率との関係を示すものである。同図において、１００％の透過率とは、波長が６５０ｎｍである赤色のレーザ光の集光動作を行うための対物レンズに使用されるものと同じ材料の合成樹脂材料にて成形された対物レンズに紫外線を照射させない場合における波長が４０５ｎｍである青紫色レーザ光の透過率である。
【００４１】
図３において、実線で示す特性は、前述したように水銀キセノンランプから放射される波長が３６０ｎｍの紫外線を５０分程度照射させた対物レンズの透過率の変化を示すものである。この特性から、紫外線の照射によって対物レンズの初期透過率が９５．７％程度の値に低下設定され、青紫色レーザ光の照射時間が４０時間経過した時点で対物レンズの透過率が９５．３％まで低下して安定していることが分かる。
【００４２】
また、同図において、破線で示す特性は、水銀キセノンランプから放射される波長が３６０ｎｍの紫外線を７分程度照射させた対物レンズの透過率の変化を示すものである。この特性から、紫外線の照射によって対物レンズの初期透過率が９５％程度の値に低下設定され、青紫色レーザ光の照射時間が１５時間経過した時点で対物レンズの透過率が９７％まで上昇していることが分かる。即ち、７分程度紫外線を照射させた対物レンズは、青紫色レーザ光の照射時間に応じて２％以上透過率が変化するため、光ピックアップ装置の対物レンズとして使用するには問題があると言える。
【００４３】
前述したように対物レンズの青紫色レーザ光に対する透過率は紫外線の照射条件によって変化せしめられるが、透過率の初期設定値及び変化特性は、紫外線の照射時間を調整することによって種々な値に設定することが出来る。即ち、前述した実施例は、紫外線の照射時間を５０分程度に設定し、波長が４０５ｎｍのレーザ光に対する対物レンズの初期透過率を９５．７％程度に設定したものである。そして、前述した実施例では、水銀キセノンランプから放射される紫外線を対物レンズに照射させることによって透過率の設定動作を行うようにしたが、斯かる水銀キセノンランプは紫外領域におけるスペクトル強度と幅が大きく、広いスペクトル輝線群を有するという特性を有している。その為、精度の高い対物レンズを得るためには照射作業を精度良く行なう必要がある。
【００４４】
以上のように紫外線照射器から発生される紫外線を合成樹脂にて形成された対物レンズに所定時間照射することによって対物レンズの初期透過率を所望の値に設定することが出来るが、初期透過率は紫外線の強度と照射時間に基づいて設定することが出来る。即ち、対物レンズに対する紫外線の照射熱量によって照射時間が大きく変化するので、紫外線の強度と照射時間とを適切に設定することにより、紫外線照射器からの紫外線の照射後において、前記対物レンズにおける青紫色のレーザ光に対する透過率の経時変化の割合が大幅に縮小され、対物レンズの透過率を所望の透過率の範囲に設定することが出来る。
【００４５】
また、紫外線照射器から発生される紫外線を照射させることによって合成樹脂にて形成された対物レンズの青紫色のレーザ光に対する透過特性を変化させるようにしたが、光ピックアップ装置における対物レンズはレンズホルダ（図示せず）と呼ばれる部材に対して紫外線硬化型接着剤にて接着固定される方式が多く採用されているので、斯かる接着固定動作時に照射される紫外線を対物レンズに照射させるようにすれば、接着固定作業と透過率の変更作業を同時に行なうことが出来るという利点がある。
【００４６】
ここで、前記レンズホルダは、対物レンズの変位により光ディスクに照射されるレーザ光のフォーカス制御動作およびトラッキング制御動作が可能になるように光ピックアップ装置のハウジングに固定されるアクチュエータフレームに対して変位可能に弾性的に支持される。
【００４７】
また、本実施例の対物レンズ１０の材料として使用したアペル５０１４ＤＰと青紫色のレーザ光に適した合成樹脂材料であるゼオネックス３４０Ｒの屈折率を比較すると、ｄ線(Ｎａランプ光源の輝線である波長が５８７．６ｎｍのレーザ光)に対する２５℃におけるアペル５０１４ＤＰの屈折率は、１．５４３４、ゼオネックス３４０Ｒの屈折率は、１．５０９であり、青紫色である波長が４０５ｎｍのレーザ光に対する屈折率は、夫々１．５５７５、１．５２１５である。
【００４８】
このように赤色のレーザ光を使用するＤＶＤ用の対物レンズの合成樹脂材料として使用されているアペル５０１４ＤＰ、即ち本発明の対物レンズの材料として使用される合成樹脂材料の方が青紫色のレーザ光用の対物レンズに使用されている合成樹脂材料よりも屈折率が大きいことが分かる。従って、本発明にて製造される対物レンズは屈折率が大きいので対物レンズの曲率半径を大きくすることが出来、それ故、短焦点の対物レンズを必要とする光ピックアップ装置の対物レンズを製造する場合に本発明は大きな効果を奏するものである。
【００４９】
尚、本実施例では、合成樹脂製の対物レンズに紫外線を照射させて透過率を変化させるようにしたが、図１に示した光ピックアップ装置の光学系を構成するコリメートレンズ６やセンサーレンズ８を合成樹脂にて形成し、これらのコリメートレンズ６やセンサーレンズ８に対して紫外線照射器から発生される紫外線を照射させて透過率を変化させるように構成することも出来る。また、本実施例では、青紫色レーザ光に対する合成樹脂レンズの透過特性を変化させるために紫外線を用いたが、紫外線の代わりに、照射時間や照射強度の調整の難易に応じて、紫色光、エックス縁、ガンマ線等の、青紫色レーザ光より短波長の電磁波を用いてもよい。
【符号の説明】
【００５０】
１      レーザーダイオード
２      回折格子
３      偏光ビームスプリッタ
６      コリメートレンズ
８      センサーレンズ
１０    対物レンズ
【図１】
2010040164.tif 000003
【図２】
2010040164.tif 000004
【図３】
2010040164.tif 000005
【図４】
2010040164.tif 000006